(57)【特許請求の範囲】
【請求項１】
ベビーベッドとして乳幼児を寝かせるため、天板とその天板の側面に幕板とを有するベッド部と、前記乳幼児の頭側に配置されるヘッドボードと、前記乳幼児の成長に伴って前記ベッド部を拡張して伸長ベッドとして使用するため、前記ベッド部に対して後倒可能に設けられるフッドボードとを備え、前記天板の床面からの高さが、前記ベビーベッドとしての適切な高さと、前記伸長ベッドとしての適切な高さとが選択可能なベッドであって、
前記ヘッドボードは、前記天板から前記ヘッドボードの上端までの高さが、前記ベッドをベビーベッドとして用いる第１の高さと、
前記ベッドを伸長ベッドとして用いる、前記第１の高さよりも低い第２の高さとを選択可能に設けられ、
前記ヘッドボードは、前記ベッド部に対して上下方向にスライド可能なように支持される、ベッド。
【請求項２】
前記ヘッドボードを、前記ベッド面に対して後倒させたときに、前記ヘッドボードを支持するための補助脚をさらに備え、前記補助脚はその不使用時には、前記フッドボードの下方において、前記ヘッドボードと一体的に前記幕板に固定される、請求項１に記載のベッド。
【請求項３】
前記ヘッドボードはフォトフレームを有する、請求項１または請求項２に記載のベッド。
【発明の詳細な説明】
【０００１】
【発明の属する技術分野】
この発明はベッドに関し、より特定的には、乳幼児の成長に伴って、最適なヘッドボード高さを有するベッド状態を提供することができるベッドの構造に関する。
【０００２】
【従来の技術および発明が解決しようとする課題】
従来から、子供の成長に応じてベッド面が拡大するベッド（以下、「伸長ベッド」と称する）が数多く開発されている。しかしながら、これらのベッドは、いずれもベッド面の面積が拡大するのみで、ベビーベッドとして用いた場合、母親が乳幼児を世話するために適切な、ベッド面の床面からの高さ、およびベッド面からヘッドボード上端までの高さを提供し、かつ、乳幼児が成長して、伸長ベッドとして用いた場合、子供が伸長ベッドとして用いる適切な、ベッド面の床面からの高さ、およびベッド面からヘッドボード上端までの高さを提供することができるベッド、すなわち、乳幼児の成長に伴って、その使用状態に最も適切なベッド面の床面からの高さ、およびベッド面からヘッドボード上端までの高さを提供することができるベッドが、従来存在しなかった。
【０００３】
したがって、この発明の目的は、乳幼児の成長に伴って、最適なベッド状態を提供することができるベッドを提供することにある。
【０００４】
【課題を解決するための手段】
この発明に基づいたベッドにおいては、ベビーベッドとして乳幼児を寝かせるため、天板とその天板の側面に幕板とを有するベッド部と、乳幼児の頭側に配置されるヘッドボードと、乳幼児の成長に伴ってベッド部を拡張して伸長ベッドとして使用するため、ベッド部に対して後倒可能に設けられるフッドボードとを備え、天板の床面からの高さが、ベビーベッドとしての適切な高さと、伸長ベッドとしての適切な高さとが選択可能なベッドであって、ヘッドボードは、天板からヘッドボード上端までの高さが、ベッドをベビーベッドとして用いる第１の高さと、ベッドを伸長ベッドとして用いる、第１の高さよりも低い第２の高さとを選択可能に設けられている。
【０００５】
この構造よりなるベッドを用いることにより、天板の床面からの高さ、および天板からヘッドボード上端までの高さが、常に最適な状態となる。つまり、ベビーベッドとして使用する場合には、天板からヘッドボード上端までの高さを高くすることにより、ベビーベッドとしての安全性を確保することが可能となる。
【０００６】
また、伸長ベッドとして使用する場合には、天板からヘッドボード上端までの高さを低くすることにより、ヘッドボードからの圧迫感を無くし、快適な状態でベッドを使用することが可能となる。
【０００７】
また、好ましくは、ヘッドボードに子供が誕生したときの写真、子供が誕生したときに感じた親の気持、子供へのメッセージなどを入れるフォトフレームを設けることも可能である。
【０００８】
その結果、子供が成長した段階においても、乳幼児のころから使用しているベッドを通して、無形である親の愛情、親との絆を感じ取ることができ、親子の間に豊かな人間関係を築き上げることが可能となり、それに伴い、子供は後の人生において、愛、友情、信頼といった豊かな人間性を作り、さらに人間関係の核となる「基本信頼」をベッドを通して作り上げることが可能となる。
【０００９】
【発明の実施の形態】
以下、この発明の実施の形態におけるベッドについて、図を参照して説明する。  まず、図１を参照して、この実施の形態におけるベッド１をベビーベッドまたはサークルとして使用した場合について説明する。
【００１０】
この実施の形態におけるベッド１は、乳幼児を寝かせるためのベッド面を形成する天板１１ａと、この天板１１ａの両側部を覆う幕板１１ｂとを有するベッド部１１を備えている。なお、実際の使用に際しては、このベッド部１１の上にマットなどを敷いて用いられるが、ここでは、ベッド１の構造をより理解しやすくするために、その記載は省略する。
【００１１】
ベッド部１１は、その床面からの高さがベビーベッドまたはサークルとして最も最適な高さとなるように、第１補助脚２１が４箇所、幕板１１ｂの内側にビス２２を用いて固定されている。
【００１２】
また、ベッド部１１の頭側には、ヘッドガード１０がビス１７を用いてベッド部１１に固定されており、ベッド部１１の脚側には、フットガード１２が、ビス１４およびビス１８を用いてベッド部１１に固定されている。さらに、ベッド部１１の両側部には、サイドガード１９，２０が取付けられている。また、このサイドガード１９，２０は、図２に示すように、ヘッドガード１０およびフットガード１２に設けられた溝１２ａに沿って上下方向に移動可能に取付けられている。
【００１３】
次に、図３を参照して、この実施の形態におけるベッド１をソファとして使用した場合について説明する。
【００１４】
このベッド１をソファとして用いる場合、ソファとしてのベッド部１１の床面からの高さは、図１に示すベビーベッドとして用いた場合よりも低い方が好ましいため、幕板１１ｂにビス２２を用いて取付けられていた第１補助脚２１が外される。このときに、この第１補助脚２１の紛失を防止するため、第１補助脚２１は、図３に示すように、同じくビス２２を用いて、幕板１１ｂの裏面側に取付けられる。また、サイドガード２０を取外すことによって、ベッド１をソファとして用いることが可能となる。
【００１５】
次に、図４を参照して、この実施の形態におけるベッド１を乳幼児が成長した後の伸長ベッドとして使用した場合について説明する。
【００１６】
図４に示すように、伸長ベッドとして用いた場合に、まずヘッドガード１０が下方にスライドし、天板１１ａからヘッドガード１０の上端までの高さが、伸長ベッドとして用いるための最適な高さに設定される。
【００１７】
このときに、ヘッドガード１０のサイドフレーム１０ａの下の幕板１１ｂに取付けられていた第２補助脚１３が取外される。このように、第２補助脚１３の不使用時にはサイドフレーム１０ａと一体となるように幕板１１ｂに第２補助脚１３を固定しておくことにより、意匠上の違和感を無くして第２補助脚１３の保管をおこなくことが可能となる。
【００１８】
また、ヘッドガード１０の補助フレーム１０ｂは、ベッド部１１に設けられたガイドバー１１ｃに設けられたガイド孔１１ｄに沿って下降することが可能となっている。
【００１９】
幕板１１ｂから外された第２補助脚１３は、ビス１８を中心として後ろ側に後倒されたフットボード１２を支持する脚として用いられ、フットボード１２にビス２３を用いて固定される。
【００２０】
なお、図１〜図４に示すベビーベッド、サークル、ソファおよび伸長ベッドとして子供の成長に応じて使用した場合において、ヘッドボード１０にフォトフレーム２４等を設けておくことで、子供の写真を入れて飾ったり、子供の成長記録またはメッセージカードを入れたりすることにより、子供は、このフォトスタンドに入った写真などを見るたびに、親から子供への愛情、親と子供との絆を感じ取ることが可能となる。なお、図１〜図４においては、フォトフレーム２４をヘッドボード１０の外側に設けるようにしているが、住宅事情などにより図５に示すように、フォトフレーム２４をヘッドボード１０の内側に設けるようにしても構わない。
【００２１】
以上、本実施の形態におけるベッドにおいては、常に最適な状態で、乳幼児の成長に伴ってベッドを使用することが可能となる。その結果、子供が成長した段階においても、乳幼児のころから使用しているベッドを通して、無形である親の愛情を感じ取り、親子の間に豊かな人間関係が生まれ、子供は後の人生において、愛、友情、信頼といった豊かな人間性を作り、さらに人間関係の核となり「基本信頼」をしっかり作り上げることが可能となる。
【００２２】
なお、今回開示した実施の形態はすべての点で例示であって制限的なものではないと考えられるべきである。本発明の範囲は上記した説明ではなく、特許請求の範囲によって示され、特許請求の範囲と均等の意味および範囲内でのすべての変更が含まれることが意図される。
【図面の簡単な説明】
【図１】この発明に基づいたベッドを、ベビーベッド／サークルとして使用した第１の状態を示す図である。
【図２】この発明に基づいたベッドを、ベビーベッド／サークルとして使用した第２の状態を示す図である。
【図３】この発明に基づいたベッドを、ソファとして使用した状態を示す図である。
【図４】この発明に基づいたベッドを、伸長ベッドとして使用した状態を示す図である。
【図５】この発明に基づいたベッドにおいて、フォトフレームをヘッドボードの内側に取付けた状態を示す図である。
【符号の説明】
１  ベッド
１０  ヘッドボード
１１  ベッド部
１１ａ  天板
１１ｂ  幕板
１２  フットボード
１３  第２補助脚
１９，２０  サイドガード
２１  第１補助脚
１４，１８，２２，２３  ビス
【図１】
0003723307.tif 000002
【図２】
0003723307.tif 000003
【図３】
0003723307.tif 000004
【図４】
0003723307.tif 000005
【図５】
0003723307.tif 000006